(57)【要約】      （修正有）【課題】研磨具の砥粒サイズの如何に拘わらず、文字、図形、記号などの形状模様を確認し得ると共に、研磨層上へ文字、図形等を印刷した場合であっても、研磨効率の低下を防ぐ。【解決手段】ベース板４の一面又は両面へ、文字、図形又は色彩、模様などの印刷層３を設け、該印刷層の上へ、粒度１０００メッシュ未満の透明又は半透明研磨材層を設けたことを特徴とする爪磨き用の研磨具。【選択図】図２
0003131679.tif 000002
【実用新案登録請求の範囲】
【請求項１】
発泡合成樹脂シートの一面又は両面に研磨材を層着したことを特徴とする研磨シート。
【請求項２】
布又は紙の一面又は両面に、発泡剤入り研磨材を層着し、加熱発泡させたことを特徴とする研磨シート。
【請求項３】
紙、合成樹脂シートなどのシート類の表面に、作成すべき研磨シートの形状に沿った区画を設け、該各区画内に文字、図形、模様を夫々描き、前記文字、図形、模様上へ１０００メッシュ未満の透明又は半透明の研磨層を設け、前記シート類をベースシートに貼着し、前記シート類とベースシートを前記区画に沿って打抜いたことを特徴とする研磨シート。
【請求項４】
紙、合成樹脂シートなどのシート類の表面に、作成すべき研磨具の形状に沿った区画を設け、該各区画内に文字、図形、模様を夫々描き、前記文字、図形、模様上へ１０００メッシュ未満の透明又は半透明の研磨層を設け、前記シート類をベース板に貼着し、前記シート類とベース板を前記区画に沿って打抜いたことを特徴とする研磨具。
【請求項５】
ベース板の一面又は両面へ、文字、図形又は色彩、模様などの印刷層を設け、該印刷層の上へ、粒度１０００メッシュ未満の透明又は半透明研磨材層を設けたことを特徴とする研磨具。
【請求項６】
紙片の上面へ、文字、図形又は色彩、模様などの印刷層を設け、該印刷層の上へ粒度１０００メッシュ未満の透明又は半透明研磨材層を設けて研磨紙とし、該研磨紙を、相似形のベース板の一面又は両面へ固定したことを特徴とする研磨具。
【請求項７】
紙片の上面へ研磨材層を設け、該研磨材層の上面へ、研磨材を含むインクにより、文字、図形又は色彩、模様を設けて、研磨紙とし、該研磨紙を相似形のベース板の一面又は両面に固定したことを特徴とする研磨具。
【請求項８】
請求項６又は７記載の研磨紙を、ベース板の一面へ貼着し、前記ベース板の他面へ研磨材層を設けたことを特徴とする研磨具。
【請求項９】
ベース板の一面又は両面へ研磨材層を設け、該研磨材層の一部又は全面へ、研磨材入りのインクで文字、図形又は色彩、模様を印刷したことを特徴とする研磨具。
【請求項１０】
請求項７又は９記載の研磨材の粒度は１０００メッシュ以上としたことを特徴とする研磨具。
【請求項１１】
複数枚のベース板の表面又は裏面の一方又は両方へ、請求項１、２、３の何れか１項記載の研磨シートを夫々固定し、前記複数枚のベース板を重ねてその一側を回動自在に軸支したことを特徴とする研磨具。
【請求項１２】
ベース板の一面又は両面へ、凹入部を設け、該凹入部へ、請求項１、２、３の何れか１項記載の研磨シートを嵌入固定したことを特徴とする研磨具。
【考案の詳細な説明】
【技術分野】
【０００１】
この考案は、研磨面に文字、図形又は色彩、模様などの印刷物が見えるようにした研磨具に関する。
【背景技術】
【０００２】
従来爪磨き用であって、研磨面に印刷を施した研磨具又は研磨具の基材上に印刷し、基材上に研磨層を設けた研磨具が知られている。また、紙面に研磨層を設けた工作物などの表面研磨紙が知られている。
【特許文献１】実用新案登録第３０５１６２５号公報
【考案の開示】
【考案が解決しようとする課題】
【０００３】
従来クラフト紙、和紙、綿布、ポリエステルフィルムなどの基材面に文字、図形、色彩、模様を印刷し、その上に透明又は半透明の研磨紙粒に接着剤を混入して塗布し、研磨材層を設けた研磨具が知られている（特許文献１）。
【０００４】
また前記基材面に印刷することなく、研磨材層を設け、該研磨材層の表面に印刷を施した研磨具が提案されている（特許文献１）。
【０００５】
次に基材の材質によっては、研磨面が硬直化し、被研磨面になじみ難いおそれもあった。
【０００６】
前記従来の技術において、基材又は研磨層を発泡させることにより、柔軟性を付与した。また、印刷面上へ研磨材層を設けた場合には、砥粒の大きさを１０００メッシュ未満にしなければ透明性が悪く（７００メッシュ〜１０００メッシュでは、印刷文字等が多少不明瞭になるが、目的を逸脱するものではない）、印刷した文字等が見えにくい問題点があった。そこで印刷を見易くする為に、砥粒は１０００メッシュ未満とされ、比較的粗い荒研磨用に限られる問題点があった。
【０００７】
また研磨材層上へ文字、図形などの印刷を施すと、研磨の効力が低下するのみならず、研磨具使用により文字、図形などが早期に消滅する問題点があった。また砥粒の粒度が粗いと、印刷が不明瞭になるおそれがあった。
【課題を解決するための手段】
【０００８】
この考案は、基材（ベース板）上へ文字、図形、色彩、模様を印刷するときは、透明又は半透明の砥粒の粒度を１０００メッシュ未満とし、その透明性を高めた。そして前記粒度は荒仕上げ用であるから、砥粒の粒度が１０００メッシュ以上の場合には、研磨材層の上へ印刷することにより、前記従来の問題点を解決したのである。
【０００９】
この考案において、ベース板上へ印刷する場合には、ベース板を別製して、その上に印刷する場合が多いので、印刷の効率上改善を要求されていた。
【００１０】
そこで一旦大きなクラフト紙、和紙、綿布、ポリエステルフィルムなどよりなるシートの一面に、文字、図形、色彩、模様を印刷し、その面に、粒度１０００メッシュ未満の透明又は半透明の砥粒に接着剤を混入した材料を用いて研磨材層を設けた後、前記シートをベース板の形状に型抜きして研磨片とし、この研磨片をベース板の一面又は両面に貼着して研磨具としたものである。または、前記シートをベース板上へ貼着してから、前記シート上へ文字等を印刷し、その上に研磨材層を設けてから、前記ベース板と、シートとを同時に打ち抜くこともある。
【００１１】
前記研磨材として１０００メッシュ未満の砥粒にした場合には、荒仕上げ位しかできない程度に砥粒が大きい。そこで、中仕上げ又は精密仕上げ用には１０００メッシュ〜８０００メッシュの砥粒を用いなければならない。
【００１２】
然るに砥粒のサイズが１０００メッシュ以上になると、研磨材が透明又は半透明の砥粒であっても印刷した文字又は図形等を透視することはできない。そこで中仕上げ又は上仕上げ用の研磨層の場合には研磨層の上へ文字又は図形等を印刷する。前記印刷においては、インクに研磨材を混入したインクを用いるので、印刷面での研磨ができると共に、文字又は図形等を確認することができる。
【００１３】
この考案は、発泡合成樹脂シート（例えばポリエチレンシート）の一面又は両面に研磨材を層着したことを特徴とする研磨シートであり、布又は紙の一面又は両面に、発泡剤入り研磨材を層着し、加熱発泡したことを特徴とする研磨シートである。また他の考案は、紙、合成樹脂シートなどのシート類の表面に、作成すべき研磨シートの形状に沿った区画を設け、該各区画内に文字、図形、模様を夫々描き、前記文字、図形、模様上へ１０００メッシュ未満の透明又は半透明の研磨層を設け、前記シート類をベースシートに貼着し、前記シート類とベースシートを前記区画に沿って打抜いたことを特徴とする研磨シートであり、紙、合成樹脂シートなどのシート類の表面に、作成すべき研磨具の形状に沿った区画を設け、該各区画内に文字、図形、模様を夫々描き、前記文字、図形、模様上へ１０００メッシュ未満の透明又は半透明の研磨層を設け、前記シート類をベース板に貼着し、前記シート類とベース板を前記区画に沿って打抜いたことを特徴とする研磨具である。
【００１４】
また他の考案によれば、ベース板の一面又は両面へ、粒度１０００メッシュ未満の文字、図形又は色彩、模様などの印刷層を設け、該印刷層の上へ、粒度１０００メッシュ未満の透明又は半透明研磨材層を設けたことを特徴とする研磨具であり、紙片の上面へ、文字、図形又は色彩、模様などの印刷層を設け、該印刷層の上へ粒度１０００メッシュ未満の透明又は半透明研磨材層を設けて研磨紙とし、該研磨紙を、相似形のベース板の一面又は両面へ固定したことを特徴とする研磨具である。
【００１５】
また、紙片の上面へ研磨材層を設け、該研磨材層の上面へ、研磨材を含むインクにより、文字、図形又は色彩、模様を設けて、研磨紙とし、該研磨紙を相似形のベース板の一面又は両面に固定したことを特徴とする研磨具であり、請求項６又は７記載の研磨紙を、ベース板の一面へ貼着し、前記ベース板の他面へ研磨材層を設けたことを特徴とする研磨具である。
【００１６】
次に他の考案は、ベース板の一面または両面へ研磨材層を設け、該研磨材層の一部又は全面へ、研磨材入りのインクで文字、図形又は色彩、模様を印刷したことを特徴とする研磨具であり、請求項７又は９記載の研磨材の粒度は１０００メッシュを超えるものとしたことを特徴とする研磨具である。
【００１７】
また他の考案は、複数枚のベース板の表面又は裏面の一方又は両方へ、請求項１、２、３の何れか１項記載の研磨シートを夫々固定し、前記複数枚のベース板を重ねてその一側を回動自在に軸支したことを特徴とする研磨具であり、ベース板の一面又は両面へ、凹入部を設け、該凹入部へ、請求項１、２、３の何れか１項記載の研磨シートを嵌入固定したことを特徴とする研磨具である。
【００１８】
前記のように、この考案によれば、ベース板上又は紙片など印刷した文字、図形などを透視し得ると共に、粒度１０００メッシュ以上の砥粒に対しては、研磨層の上部へ、研磨材入りインクを使用して印刷することによって目的を達成することができた。前記によれば、研磨材の粒度が小さい（例えば１０００メッシュ〜８０００メッシュ）から、印刷は鮮明に現れる。
【００１９】
この考案の研磨シート又は研磨具は、爪磨き、人体の硬皮除去に使用する他、広く工作物、工芸品その他塗装する物品の表面研磨に使用する。特に、１０００メッシュ〜８０００メッシュの仕上げ用研磨材使用の研磨具又は研磨シートにあっては、素材の材質（例えば、硬軟の金属製、木製、合成樹脂製、硝子製品など）に応じ、ベース板はもとより研磨層にも工夫を加え（例えば発泡インク使用）、または微小砥粒と発泡合成樹脂との混合物を成形、発泡させ、表面はもとより内部まで均一に研磨材を含ませ、研磨具の磨耗に拘わらず、研磨効果を持続させるものも考えられる。
【考案の効果】
【００２０】
この考案によれば、研磨具の砥粒サイズの如何に拘わらず、文字、図形、記号などの形状模様を確認し得ると共に、研磨層上へ文字、図形等を印刷した場合であっても、研磨効率の低下のおそれはないなどの諸効果がある。
【考案を実施するための最良の形態】
【００２１】
この考案は、紙片の上面へ文字、図形又は色彩、模様などの印刷層を設け、該印刷層の上へ、粒度１０００メッシュ未満の透明又は半透明研磨材層を設けて研磨紙とし、該研磨紙を相似形のベース板の一面又は両面へ貼着して（または紙片をベース板へ貼着してから紙片上へ印刷層と研磨材層を設けることもある）、この考案の研磨具を得た。
【００２２】
また紙片の上面へ粒度１０００メッシュを超え８０００メッシュ未満の砥粒と接着剤を混入した材料により研磨層を設ける。
【００２３】
この研磨層の上面に、粒度１０００メッシュを超え８０００メッシュ未満の砥粒を２０％〜４０％混入したインクを用いて文字、図形などを印刷して研磨紙とし、該研磨紙を相似形のベース板の一面又は両面へ貼着して、この考案の研磨具を得た。
【００２４】
前記ベース板（シートを含む）の材質について特別の制約はないが、適度の剛性、弾力性、強靱性を有する木、加圧紙、合成樹脂シート、金属板及び発泡合成樹脂シート、板など従来使用されている材質を使用することができる。例えば柔軟性ベース板（シートを含む）については発泡を考慮する。
【実施例１】
【００２５】
この考案の実施例を図１（ａ）、（ｂ）について説明すると、発泡合成樹脂製のベース板４（例えば１ｍｍ〜５ｍｍ）の上面へ７００メッシュ〜８００メッシュの研磨層２を設けて研磨具７としたもので、荒仕上げ用に用いる。
【００２６】
前記ベース板４は、ポリエチレン製とし、発泡１６（気泡径０．１〜０．５ｍｍ）多数であって、揉軟であるから、研磨面（例えば爪面）へフィットさせることができる。
【００２７】
次に図１（ｃ）、（ｄ）について説明すると、ベース板４ａ（例えば合成樹脂製で、厚さ１ｍｍ〜５ｍｍ）の上面に接着剤、発泡剤入り研磨材により研磨層２ａを設けた研磨具７ａである。
【００２８】
前記図１（ｃ）の実施例は、研磨層（０．５ｍｍ〜１ｍｍ）２ａに気泡１６が含まれているので、研磨層２に弾力性があって、被研磨面に微小凹凸があっても良くフィットすることになる。
【００２９】
例えば研磨層の厚さ０．５ｍｍ〜１ｍｍの場合に、平均して２０〜５０％変形する。即ち研磨材の多い部分は変形が少ないが、研磨材が少ない部分は変形が大きい。
【００３０】
次に、図１（ｄ）の実施例は、ポリエチレン液にその２０〜３０％の発泡剤と、３０〜４０％の研磨液を混入し、型に流し込んだ後、発泡処理した研磨具７ｂである。図中１６ａは気泡である。
【００３１】
前記実施例において、研磨具７ｂ内には気泡１６ａと、研磨材２ａとが混在するので、研磨具７ｂの研磨面が磨耗しても、研磨材が常に露出し、研磨目的を達成し得ると共に、適度の弾性を保ち、研磨面が弾性変形して被研磨面に密に当接させることができる。
【実施例２】
【００３２】
この考案の実施例を図２について説明すると、クラフト紙１の上面に粒度１０００メッシュ〜２０００メッシュの砥粒（例えば１０００メッシュ３０％前後）に合成樹脂接着剤を混入（７０％前後）し、厚さ１ｍｍに塗布して、研磨層２を設け、前記研磨層２の上面へ、粒度１０００メッシュ〜２０００メッシュの砥粒を３０％前後混入したインクを用いて、文字３ａと、図形３ｂ、印刷層３を設けて研磨紙５を作成し、前記研磨紙５を合成樹脂製のベース板４の上面に貼着し、ベース板の下面に、研磨紙６を貼着した後、任意の形状に打ち抜けば、この考案の仕上げ爪磨き用の研磨具７が完成する。
【００３３】
前記において、研磨紙６に代えて、研磨紙５を貼着することもできる。
【実施例３】
【００３４】
この考案の他の実施例を図３について説明すると、和紙８の上面に、文字３ａと、図形３ｂの印刷層３を設け、該印刷層３の上面に、粒度５００メッシュ〜７００メッシュ（５００メッシュ４０％前後）の研磨材に合成樹脂接着剤を混合した材料で研磨層２を設けた研磨紙９を、ベース板４の上面に貼着する。またベース板４の下面にはクラフト紙１の上面に研磨層２を設けた研磨紙６を貼着し、この考案の研磨具１０を設けたものである。
【００３５】
前記実施例は、ベース板４の上面へ荒研磨の研磨紙９を貼着したので、下面の研磨紙６を仕上げ用（例えば砥粒の粒度１０００メッシュ以上）とすれば、１本の研磨具で、荒研磨と、仕上げ研磨ができる。
【実施例４】
【００３６】
この考案の実施例を図４（ａ）、（ｂ）について説明すれば、ベース板４（低発泡板とする）上へ文字、図形、模様などの印刷層３を設け、その上面へ粒度７００メッシュ未満の砥粒に合成樹脂接着剤を混入した材料を塗布して研磨層２を設け、前記ベース板１の下面に仕上げ研磨用の研磨層２を設けて、この考案の研磨具１１を得た。
【００３７】
この実施例は、ベース板の表面へ印刷層を設けたが、表面性が悪い場合には、表面性を良好にする為に、フィルムをラミネートし、薄紙を層着することができる。このような場合には、断面形状が実施例１と近似して来る。
【実施例５】
【００３８】
この考案の実施例を図４（ｃ）、（ｄ）について説明すると、ベース板４上へ粒度１０００メッシュ〜２５００メッシュの砥粒に、合成樹脂接着剤を加入した材料によって研磨層２を設け、該研磨層２の上部へ、粒度１０００メッシュ〜２５００メッシュの砥粒を３０％前後混入したインクで文字、図形の印刷層３を設けて、この考案の研磨具１２を得た。
【００３９】
前記における研磨層２は、１０００メッシュ〜１２００メッシュであるから、平面性は良好であり、かつ同粒度を含むインクによる文字、図形を描くのであるから、違和感なく見易く描かれる。
【実施例６】
【００４０】
この考案の実施例を図５、６について説明すると、紙１３の表面へ、研磨紙の形状に区画１４、１４を設け、該区画内へ夫々文字、図形、模様などの印刷層３を設け、前記紙１３の表面へ透明又は半透明の粒度４００メッシュの研磨層２を設ける。
【００４１】
ついで紙１３を、同一大きさ形状のベース板１５上へ貼着して集合研磨板１６とし、この集合研磨板１６を、前記各区画１４、１４に沿って切断すれば、この考案の研磨具１７ができる。
【００４２】
即ち研磨具１７は、ベース片１８上へ、紙片１９を貼着し、紙片１９上には、印刷層３が印刷され、該印刷層３は粒度１０００メッシュ未満の透明又は半透明の研磨層２で覆われている。従って印刷層３は、透視できる。
【００４３】
前記研磨具１７は、実質的に、図３の実施例と同一であるが、製造方法を異にするものである。
【００４４】
前記において、研磨層３を設ける方法は、塗布又は静電塗装法その他従来使用している方法を使用することができる。
【００４５】
前記製造方法は、多量生産の一方法を示すものであって、これに限定されるものではない。
【実施例７】
【００４６】
この考案の他の実施例を図７について説明すると、両端を円弧状に形成した細長いベース板２１の下面に、外形と相似形の凹入部２２を設け、該凹入部２２へ相似形の研磨片２４を嵌入固定して研磨板２３と、ベース板２１の上面へ研磨片２４を貼着した研磨板２３ａ３枚、研磨板２３ａの３枚を重ね合わせ、前記研磨板２３、２３ａの一側部へ支軸２５を貫通して、前記４枚の研磨板２３、２３ａを回動自在に軸支して、この考案の研磨具２０を得た。前記凹入部２２の深さは、研磨片２４の厚さとほぼ同一とするので、４通りの研磨片を備えたものである。
【００４７】
前記実施例の支軸２５は、雄軸２５ａと、雌軸２５ｂの嵌合により、両鍔２５ｃ、２５ｃで挟着固定している。前記支軸は、４枚のベース板２１を回動自在に軸支したものである。
【００４８】
前記ベース板２１は、例えば合成樹脂製であって、その上面のみに凹入部を設けて、これに研磨片２４を嵌入固定することができる。前記研磨片２４の表裏に夫々粒度の異なる研磨材層を設けておけば、異なる仕上げの研磨をすることができる。
【００４９】
前記実施例は、ベース板２１を４枚にしたが、３枚でも６枚でもよく、数に限定はない。前記各ベース板２１の表裏面に夫々異なる粒度の研磨片を嵌入固定すれば、８通りの異なる研磨度を得ることができる。また前記研磨片の表裏に異なる粒度の研磨材層を設ければ、８通りの異なる研磨ができるので、合計１６通りとなるが、通常４〜８通りで十分である。そこで１枚の研磨片の表裏粒度を同一にすれば、８通りとなり、耐用期間が２倍となる。
【００５０】
次に他の実施例を図８について説明すると、合成樹脂製の細長いベース板２６の表裏面に夫々凹入部２７、２７を設け、各凹入部２７、２７の中間部へ仕切り条２８を設け、前記各凹入部２７ａ、２７ｂとし、その夫々に研磨片２４を嵌入固定すれば、この考案の研磨具３０ができる。図中２９は、爪の甘皮処理片である。
【００５１】
前記実施例においては、仕切り条２８によって、凹入部が表裏４つとなったので、４通りの粒度の研磨片２４を固定することができると共に、各研磨片２４の表裏の研磨材の粒度を変えることにより、８種類の異なる研磨を行うことができる。
【００５２】
前記実施例は、細長いベース板２１、２６を採用したが、その形状には限定なく、楕円形、ハート形、ひょうたん形その他不正形を採用することができる。
【００５３】
然し乍ら、なるべく多種の研磨ができるようにする為に、研磨片は表裏別粒度の研磨材を使用し、ベース板２１、２６への嵌入固定は、取り外し可能にすることが好ましい。
【実施例８】
【００５４】
この考案の他の実施例を図９（ａ）、（ｂ）、（ｃ）について説明すると、隅部を弧状に形成した三角板３１の隅部に中心をおいた円形の凹入部３２を設け、該凹入部３２に円形の研磨板３３を夫々嵌入固定して研磨具３５を構成した（図９（ａ）、（ｂ））。
【００５５】
前記において、凹入部３２の深さは、研磨板３３の厚さの１／２程度であって、研磨板３３を凹入部へ嵌着すれば、研磨板が若干突出しているので、その入れ換えが容易であるから、研磨板３３の両面を使用できるようにすれば、６通りの研磨ができる。図中３４は外れ止め片であって、研磨板の脱落を防止している。
【００５６】
次に図９（ｃ）は、細長い板体３８の中央凹部３９を境界にして、左右に凹入部３６ａ、３６ｂを設け、該凹入部３６ａ、３６ｂへ、凹入部と相似形の研磨板３７、３７（粒度を異にした）を夫々嵌着固定してこの考案の研磨具４０としたものである。
【００５７】
前記実施例において、研磨板３７、３７の表裏両面へ異なる粒度の研磨材を層着すれば、４通りの研磨ができる。また板体３４の表裏に夫々凹入部を設けて、研磨板を嵌入固定すれば、４通り乃至８通りの仕上げ状態の異なる研磨をすることができる。
【００５８】
前記実施例の中央凹部３９には、例えばレッテルその他品番記載片などを貼着する為に設けてある。
【図面の簡単な説明】
【００５９】
【図１】（ａ）この考案の実施例の一部を破切した平面図、（ｂ）同じく一部省略した断面拡大図、（ｃ）同じく他の実施例の一部を省略した断面図、（ｄ）同じく他の実施例の一部を省略した断面図。
【図２】（ａ）この考案の実施例の平面図、（ｂ）同じく一部を省略した平面図、（ｃ）同じく一部を省略した断面拡大図。
【図３】（ａ）同じく他の実施例の平面図、（ｂ）同じく一部を省略した平面図、（ｃ）同じく一部を省略した断面拡大図。
【図４】（ａ）同じく他の実施例の平面図、（ｂ）同じく（ａ）の一部断面拡大図、（ｃ）同じく他の実施例の平面図、（ｄ）同じく（ｃ）の一部断面拡大図。
【図５】（ａ）同じく図形紙の一部を省略した平面図、（ｂ）同じく正面図、（ｃ）同じくベース板を貼着した正面図。
【図６】（ａ）同じく研磨具の平面図、（ｂ）同じく一部を省略した断面拡大図、（ｃ）同じく他の一部を省略した断面拡大図。
【図７】（ａ）同じく研磨具の一部を開いた状態の斜視図、（ｂ）同じく断面図。
【図８】（ａ）同じく斜視図、（ｂ）同じく断面図。
【図９】（ａ）同じく他の実施例の平面図、（ｂ）同じく一部断面拡大図、（ｃ）同じく他の実施例の斜視図。
【符号の説明】
【００６０】
１  クラフト紙
２  研磨層
３  印刷層
４、１５  ベース板
５、６、９  研磨紙
７、１０、１１、１２、１７、２０、３０、３５、４０  研磨具
８  和紙
１３  紙
１４  区画
１６  集合研磨板
１８  ベース板
１９  紙片
２１、２６  ベース板
２２、２７  凹入部
２４  研磨片
【図１】
0003131679.tif 000003
【図２】
0003131679.tif 000004
【図３】
0003131679.tif 000005
【図４】
0003131679.tif 000006
【図５】
0003131679.tif 000007
【図６】
0003131679.tif 000008
【図７】
0003131679.tif 000009
【図８】
0003131679.tif 000010
【図９】
0003131679.tif 000011